(57)【要約】【課題】フォーク先端と地上面との間に介在させることにより、フォークの不用意な落下事故を確実に防止すると共に作業負担を減らして作業者が独りでフォーク着脱作業を容易に行うことができるフォーク用台座を提供する。【解決手段】台座は、略方形箱型ケースに構成し、しかも、該台座は、略方形箱型ケースの一側に設けたフォーク挿入用スリットと、該ケース内でフォーク挿入用スリットから挿入したフォーク先端部を略方形箱型ケースに固定するための固定機構と、該ケース下底部に設けたキャスターと、フォーク挿入用スリットを地上面から一定高さに保持するために該ケース下半分に形成した台座支持用のスペーサ形成部と、よりなることとした。【選択図】図３
2020029359.tif 000002
【特許請求の範囲】
【請求項１】
フォークリフト前部に装着するフォークの先端部を載置支持するための台座であって、
該台座は、内部を空間にした略方形箱型ケースに構成し、
しかも、該台座は、
略方形箱型ケースの一側に設けたフォーク挿入用スリットと、
該ケース内でフォーク挿入用スリットから挿入したフォーク先端部を略方形箱型ケースに固定するための固定機構と、
該ケース下底部に設けたキャスターと、
フォーク挿入用スリットを地上面から一定高さに形成するために該ケース下半分に形成した台座支持用のスペーサ形成部と、よりなることを特徴とするフォーク用台座。
【請求項２】
略方形箱型ケースの左右側には、搬送用のグリップを突設したことを特徴とする請求項１に記載のフォーク用台座。
【請求項３】
固定機構は、略方形箱型ケースの天板をフォーク挿入用スリット内に向けて螺合貫通する固定ボルトで構成したことを特徴とする請求項１又は請求項２に記載のフォーク用台座。
【請求項４】
固定ボルトの頭部には、固定ボルトの回動操作をするための操作用ハンドルを設けたことを特徴とする請求項１〜３のいずれか１項に記載のフォーク用台座。
【請求項５】
固定ボルトの先端には、フォーク挿入用スリットに挿入したフォーク先端部の上面に面接触する押圧プレートを設けたことを特徴とする請求項１〜４のいずれか１項に記載のフォーク用台座。
【請求項６】
スペーサ形成部は断面方形筒体に形成したことを特徴とする請求項１〜５のいずれか１項に記載のフォーク用台座。
【請求項７】
フォーク挿入用スリットは、断面方形筒体としたスペーサ形成部の上面に下方開放の断面コ字状の天板と一体溶着し、天板とスペーサ形成部との間に形成される空間により構成したことを特徴とする請求項６に記載のフォーク用台座。
【請求項８】
断面方形筒体としたスペーサ形成部における筒体開口部と断面コ字状の天板に形成されるフォーク挿入用スリットとの各開口向きは互いに直角方向に向くように構成したことを特徴とする請求項７に記載のフォーク用台座。
【請求項９】
上記台座の後端には連結機構を介して後部台座を着脱自在に連結し、後部台座は少なくともフォーク基部を載置する支持台座と下底に設けたキャスターとより構成したことを特徴とする請求項１〜８のいずれか１項に記載のフォーク用台座。
【請求項１０】
支持台座上面にはフォーク基部の横滑り防止のための規制部を立設したことを特徴とする請求項９に記載のフォーク用台座。
【発明の詳細な説明】
【技術分野】
【０００１】
本発明は、フォークリフトからのフォークの着脱作業時にフォーク先端部を載置支持してフォークの着脱作業を容易に行うためのフォークリフトのフォーク用台座に関する。
【背景技術】
【０００２】
従来より、港や工場、物流倉庫などにおいて搬送物の運搬積載を行うためにフォークリフトが用いられている。
【０００３】
一般的に、フォークリフトのフォーク構造は、フォークリフト本体の前部においてフォークの略Ｌ字状基端部を係合する昇降自在のリフターと、リフターに係合した左右２本のフォークとより構成されている（例えば、特許文献１参照。）。
【０００４】
かかるフォークリフトのフォークは、搬送物の種類に応じて長さ等が異なるために必要に応じて取り替える。
【０００５】
この際、フォークをフォークリフト本体から離脱する作業は、予めフォークの先端を人手により把持しながらフォーク基部をフォークリフト本体から取り外す作業が行われる（例えば、非特許文献１参照。）。
【０００６】
すなわち、フォークの着脱作業は、フォーク先端を持ち上げてフォーク基端側のフックの重量負荷を軽減し、フックとリフターとの掛合状態を弛緩する必要があり、フォーク先端側の持ち上げ作業者とフォーク基端側のスライド作業者の少なくとも２人の作業者の連携により行うこととなる。
【先行技術文献】
【特許文献】
【０００７】
【特許文献１】実用新案登録第３０７９０９２号
【非特許文献】
【０００８】
【非特許文献１】「建荷協静岡県支部  フォークリフト技術部会情報No.４  安全なフォークの取外し、取り付け作業」インターネット（URL：http://www.sacl-shizuoka.jp/pdf/no4.pdf）
【発明の概要】
【発明が解決しようとする課題】
【０００９】
しかし、重量物であるフォークを手で把持しながら着脱作業を行うために、不用意に落下させて作用者の手指や足を地上面との間で挟む事故が絶えなかった。
【００１０】
本発明は、斯かる事情に鑑みてなされたものであって、フォーク先端と地上面との間に介在させることにより、フォークの不用意な落下事故を確実に防止すると共に作業負担を減らして作業者が独りでフォーク着脱作業を容易に行うことができるフォーク用台座を提供する。
【課題を解決するための手段】
【００１１】
上記従来の課題を解決するために、本発明に係るフォーク用台座は、（１）フォークリフト前部に装着するフォークの先端部を載置支持するための台座であって、該台座は、内部を空間にした略方形箱型ケースに構成し、しかも、該台座は、略方形箱型ケースの一側に設けたフォーク挿入用スリットと、該ケース内でフォーク挿入用スリットから挿入したフォーク先端部を略方形箱型ケースに固定するための固定機構と、該ケース下底部に設けたキャスターと、フォーク挿入用スリットを地上面から一定高さに形成するために該ケース下半分に形成した台座支持用のスペーサ形成部と、よりなることを特徴とする。
【００１２】
また、本発明に係るフォーク用台座では、以下の点にも特徴を有する。
（２）略方形箱型ケースの左右側には、搬送用のグリップを突設したこと。
（３）固定機構は、略方形箱型ケースの天板をフォーク挿入用スリット内に向けて螺合貫通する固定ボルトで構成したこと。
（４）固定ボルトの頭部には、固定ボルトの回動操作をするための操作用ハンドルを設けたこと。
（５）固定ボルトの先端には、フォーク挿入用スリットに挿入したフォーク先端部の上面に面接触する押圧プレートを設けたこと。
（６）スペーサ形成部は断面方形筒体に形成したこと。
（７）フォーク挿入用スリットは、断面方形筒体としたスペーサ形成部の上面に下方開放の断面コ字状の天板と一体溶着し、天板とスペーサ形成部との間に形成される空間により構成したこと。
（８）断面方形筒体としたスペーサ形成部における筒体開口部と断面コ字状の天板に形成されるフォーク挿入用スリットとの各開口向きは互いに直角方向に向くように構成したこと。
（９）上記台座の後端には連結機構を介して後部台座を着脱自在に連結し、後部台座は少なくともフォーク基部を載置する支持台座と下底に設けたキャスターとより構成したこと。
（１０）支持台座上面にはフォーク基部の横滑り防止のための規制部を立設したこと。
【発明の効果】
【００１３】
本発明に係るフォーク用台座によれば、フォークリフト前部に装着するフォークの先端部を載置支持するための台座であって、該台座は、内部を空間にした略方形箱型ケースに構成し、しかも、該台座は、略方形箱型ケースの一側に設けたフォーク挿入用スリットと、該ケース内でフォーク挿入用スリットから挿入したフォーク先端部を略方形箱型ケースに固定するための固定機構と、該ケース下底部に設けたキャスターと、フォーク挿入用スリットを地上面から一定高さに形成するために該ケース下半分に形成した台座支持用のスペーサ形成部と、よりなることとしたため、フォーク先端部と地上面との間に介在させてフォーク基端側の重量負荷を分散軽減してフォークとリフターとの掛合状態を弛め、リフターに対してフォークを円滑に左右スライドでき、作業負担を減らしてフォーク着脱作業を容易に行うことができる効果がある。
【００１４】
また、リフターから離脱したフォークはフォーク用台座に支持されるため、作業時における落下事故の発生を確実に防止して作業者が独りで安全且つスムーズにフォーク着脱作業を行うことができる効果がある。
【００１５】
また、略方形箱型ケースの左右側には、搬送用のグリップを突設したため、作業差がグリップを把持してフォーク用台座を持ち運びすることができる効果がある。
【００１６】
また、固定機構は、略方形箱型ケースの天板をフォーク挿入用スリット内に向けて螺合貫通する固定ボルトで構成したため、固定ボルトの下方螺進に伴いボルト先端をフォーク先端部上面に接触させると共にフォーク先端部をフォーク挿入用スリット内の載置面に圧着させ、固定ボルト先端と載置面との間にフォーク先端部を固定することができる効果がある。
【００１７】
また、固定ボルトの頭部には、固定ボルトの回動操作をするための操作用ハンドルを設けたため、作業者が操作用ハンドルを把持して固定ボルトを上下に螺進退させる回動操作を容易に行うことができ、スリット内におけるフォーク先端部の固定作業効率を向上させることができる効果がある。
【００１８】
また、固定ボルトの先端には、フォーク挿入用スリットに挿入したフォーク先端部の上面に面接触する押圧プレートを設けたため、固定ボルト先端の押圧プレート面とフォーク挿入用スリット内の載置面との間にフォーク先端の上下面を密着させてフォーク先端をフォーク用台座に確実に挟持固定することができる効果がある。
【００１９】
また、スペーサ形成部は断面方形筒体に形成したため、フォーク用台座の製造コストを低減化すると共に台座を軽量化して作業者の持ち運びの際の重量負担を軽減化することができる効果がある。
【００２０】
また、フォーク挿入用スリットは、断面方形筒体としたスペーサ形成部の上面に下方開放の断面コ字状の天板と一体溶着し、天板とスペーサ形成部との間に形成される空間により構成したため、さらにフォーク用台座の製造コストを低減化すると共に台座を軽量化することができる効果がある。
【００２１】
また、断面方形筒体としたスペーサ形成部における筒体開口部と断面コ字状の天板に形成されるフォーク挿入用スリットとの各開口向きは互いに直角方向に向くように構成したため、フォークの長手方向をフォーク挿入用スリットの開口方向を合せるようにフォーク用台座を配置してフォーク先端を該スリットに正確に挿入することができる効果がある。
【００２２】
さらに、フォークの長手方向に直交する方向にスペーサ成型部の前後壁部を配置できるため、フォーク挿入用スリット内で固定した際のフォークの重要負荷をスペーサ形成部の前後壁部で分散して剛性を確保できる効果がある。
【００２３】
また、上記台座の後端には連結機構を介して後部台座を着脱自在に連結し、後部台座は少なくともフォーク基部を載置する支持台座と下底に設けたキャスターとより構成したため、フォーク先端部のフォーク用台座に加えて後部台座をフォーク基部と地上面との間に介在させてフォーク基端側の重量負荷を確実に分散軽減してフォークとリフターとの掛合状態を弛めることができ、リフターに対してフォークを円滑に左右スライドでき、しかも、離脱したフォークを前後台座ごと移動してそのまま収納することができる効果がある。
【００２４】
また、支持台座上面にはフォーク基部の横滑り防止のための規制部を立設したため、フォーク着脱作業時にフォークが後部台座から左右方向に不用意に外れてしまうことを防止することができる効果がある。
【図面の簡単な説明】
【００２５】
【図１】本発明に係るフォーク用台座をフォーク先端に装着した状態のフォークリフトを示す斜視図である。
【図２】フォークリフトのフォーク構造を示す模式的側面図である。
【図３】実施例１に係るフォーク用台座の構成を示す斜視図である。
【図４】実施例１に係るフォーク用台座の構成を示す正面図及び側面図である。
【図５】実施例１に係るフォーク用台座に係る固定ボルトの変形例を示す平面図及びＡ−Ａ’断面図である。
【図６】実施例１に係るフォーク用台座をフォークに装着固定した状態を示す正面図である。
【図７】実施例１に係るフォーク用台座を用いたフォークの離脱作業を示す斜視図である。
【図８】実施例１に係るフォーク用台座を用いたフォークの離脱作業を示す模式的側面図である。
【図９】実施例２に係るフォーク用台座の構成を示す斜視図である。
【発明を実施するための形態】
【００２６】
本発明の要旨は、フォークリフト前部に装着するフォークの先端部を載置支持するための台座であって、該台座は、内部を空間にした略方形箱型ケースに構成し、しかも、該台座は、略方形箱型ケースの一側に設けたフォーク挿入用スリットと、該ケース内でフォーク挿入用スリットから挿入したフォーク先端部を略方形箱型ケースに固定するための固定機構と、該ケース下底部に設けたキャスターと、フォーク挿入用スリットを地上面から一定高さに形成するために該ケース下半分に形成した台座支持用のスペーサ形成部と、よりなることを特徴とするフォーク用台座を提供することにある。
【００２７】
また、略方形箱型ケースの左右側には、搬送用のグリップを突設したことに特徴を有する。
【００２８】
また、固定機構は、略方形箱型ケースの天板をフォーク挿入用スリット内に向けて螺合貫通する固定ボルトで構成したことに特徴を有する。
【００２９】
また、固定ボルトの頭部には、固定ボルトの回動操作をするための操作用ハンドルを設けたことに特徴を有する。
【００３０】
また、固定ボルトの先端には、フォーク挿入用スリットに挿入したフォーク先端部の上面に面接触する押圧プレートを設けたことに特徴を有する。
【００３１】
また、スペーサ形成部は断面方形筒体に形成したことに特徴を有する。
【００３２】
また、フォーク挿入用スリットは、断面方形筒体としたスペーサ形成部の上面に下方開放の断面コ字状の天板と一体溶着し、天板とスペーサ形成部との間に形成される空間により構成したことに特徴を有する。
【００３３】
また、断面方形筒体としたスペーサ形成部における筒体開口部と断面コ字状の天板に形成されるフォーク挿入用スリットとの各開口向きは互いに直角方向に向くように構成したことに特徴を有する。
【００３４】
また、上記台座の後端には連結機構を介して後部台座を着脱自在に連結し、後部台座は少なくともフォーク基部を載置する支持台座と下底に設けたキャスターとより構成したことに特徴を有する。
【００３５】
また、支持台座上面にはフォーク基部の横滑り防止のための規制部を立設したことに特徴を有する。
【００３６】
〔１．フォークリフトのフォーク構造〕
まず、本発明に係るフォーク用台座を装着するフォークリフトのフォークの基本構造について説明する。図１は本発明に係るフォーク用台座Ａをフォーク先端に装着した状態のフォークリフトＴを示す斜視図、図２はフォーク構造を示す模式的側面図である。
【００３７】
フォークリフトＴのフォーク構造は、図１に示すように、フォークリフト本体２００の前部においてフォーク２３０の略Ｌ字状基端部２３１を係合する昇降自在のリフター２１０と、リフター２１０に係合した左右２本のフォーク２３０、２３０とより構成されている。
【００３８】
リフター２１０は、車体本体２００前端で上下伸延する昇降ガイド用の左右マスト２１１、２１１’と、左右マスト２１１、２１１’間に平行に横架して昇降作動する上下２本の上下側レール２２０、２２０’と、で構成している。
【００３９】
フォーク２３０の略Ｌ字状基端部２３１には、図２に示すように鉤状の上下側フック２４０、２４０’を上下２つ外方に向けて突設しており、それぞれリフター２１０の上下側レール２２０、２２０’に係合可能に構成している。
【００４０】
下側レール２２０’の下端縁中央部には、下側フック２４０’の幅員より幅広の切欠部２２１をフォーク２３０のリフター２１０への係合始端部として切欠き形成している。
【００４１】
〔２．実施例１〕
次に、本発明の実施例１にかかるフォーク用台座の構成について図面を参照しながら説明する。図３は本実施例にかかるフォーク用台座Ａの構成を示す斜視図、図４はフォーク用台座Ａの構成を示す正面図及び側面図、図５はフォーク用台座Ａに係る固定ボルトの変形例を示す平面図及びＡ−Ａ’断面図である。
【００４２】
フォーク用台座Ａは、図１に示すようにフォークリフトＴ前部に装着するフォーク２３０の先端部を載置支持するための台座であって、図３に示すように内部中空状の略方形箱型ケース１０に構成している。
【００４３】
具体的には、フォーク用台座Ａは、略方形箱型ケース１０の上半部一側に設けたフォーク挿入用スリット２０と、フォーク挿入用スリット２０から挿入したフォーク先端部を略方形箱型ケース１０に固定する固定機構３０と、ケース１０下底部に設けたキャスター４０と、ケース１０下半部に設けた台座支持用のスペーサ形成部５０と、で構成している。
【００４４】
スペーサ形成部５０は、図４（ａ）及び図４（ｂ）に示すようにフォーク挿入用スリット２０を地上面Ｓから一定高さｈ２に形成する高さｈ１とするように形成している。
【００４５】
なお、フォーク挿入用スリット２０の地上面Ｓからの一定高さｈ２とは、地上面Ｓからフォーク先端部を載置する載置面２１（フォーク挿入用スリット２０を形成する下面）までの高さであり少なくともリフター２１０によるフォーク２３０の下方可動可能な高さである。
【００４６】
具体的には、フォーク挿入用スリット２０の地上面Ｓからの一定高さｈ２は、図４に示すようにキャスター４０の高さｈ３とスペーサ形成部５０の高さｈ１との総和により決定される。
【００４７】
なお、本実施例のフォーク挿入用スリット２０の地上面Ｓからの一定高さｈ２は150mm〜310mmとしている。具体的には、キャスター４０の高さｈ３を40mm〜120mm、スペーサ形成部５０の高さｈ１を110mm〜190mmとしている。
【００４８】
また、スペーサ形成部５０は、図４（ｂ）に示すように断面方形筒体５１に形成している。一方、フォーク挿入用スリット２０は、図４（ａ）に示すように断面方形筒体５１としたスペーサ形成部５０の上面に下方開放の断面コ字状の天板２２と一体溶着して形成している。
【００４９】
すなわち、天板２２とスペーサ形成部５０との間に形成される空間をフォーク挿入用スリット２０として構成している。なお、スペーサ形成部５０の上面はフォーク挿入用スリット２０内におけるフォーク先端部の載置面２１に相当する。
【００５０】
また、フォーク挿入用スリット２０の開口高さや開口幅員は、フォーク２３０の先端部の肉厚や幅員より大きくなるように形成しており、本実施例では開口高さを50mm〜90mm、開口幅員を230mm〜270mmにしている。
【００５１】
なお、略方形箱型ケース１０の形状は、例えば立方体形状や直方体形状、四角錐台形状にすることができる。また略方形箱型ケース１０は、その上半部両側で左右対称に形成した２つのフォーク挿入用スリット窓よりフォーク挿入用スリット２０を構成することも一案である。
【００５２】
このような構成により、フォーク用台座Ａの全体重量を可及的軽量化して作業者の持ち運びの利便性を向上すると共に製造コストを低減化している。
【００５３】
また、断面方形筒体５１としたスペーサ形成部５０における筒体開口部５１ａと断面コ字状の天板に形成されるフォーク挿入用スリット２０の開口部２０ａとの各開口向きは、図３及び図４に示すように互いに直角方向に向くように構成している。
【００５４】
また、略方形箱型ケース１０の左右側には、図３及び図４に示すように平面視コ字形状の搬送用のグリップ６０、６０を２つ突設しており、作業者が同グリップ６０、６０を把持してフォーク用台座Ａを持ち運びすることを可能としている。
【００５５】
また、固定機構３０は、図４（ａ）に示すように略方形箱型ケース１０の上面の略中央部、すなわちフォーク挿入用スリット２０の断面コ字状の天板２２の略中央部でフォーク挿入用スリット内に向けて螺合貫通した固定ボルト３１で構成している。
【００５６】
固定ボルト３１は、フォーク挿入用スリット２０の天板２２の略中央部に貫通形成したボルト螺合孔を介してフォーク挿入用スリット２０の天板２２に対し、上下進退自在に螺合している。
【００５７】
開口部２０ａ
固定ボルト３１は、下方螺進に伴い先端をフォーク先端部上面に接触させると共にフォーク先端部を載置面２１に圧着させ、固定ボルト３１先端と載置面２１との間にフォーク先端部を固定可能としている。
【００５８】
また、固定ボルト３１の他の変形例として、図５に示すように固定ボルト３１の頭部には、固定ボルト３１の回動操作をするための操作用ハンドル３４を設けることとしてもよい。
【００５９】
操作用ハンドル３４は、図５に示すように棒状であって、その長手中央部で固定ボルト３１頭部に固設している。
【００６０】
すなわち、操作用ハンドル３４は、作業者が把持して固定ボルト３１を上下に螺進退させる回動操作を容易とすることができ、スリット内におけるフォーク先端部の固定作業効率を向上させることができる。
【００６１】
また、固定ボルト３１の先端には、フォーク挿入用スリットに挿入したフォーク先端部の上面に面接触する押圧プレートを設けることとしてもよい。
【００６２】
押圧プレート３２は、図５（ａ）に示すように平面視円形の平板体であって、その中央部で固定ボルト３１の先端に揺動自在に垂設している。
【００６３】
押圧プレート３２の上面中央部には、図５（ｂ）に示すように固定ボルト３１の先端部を遊嵌する上部開口のボルト係合部３３を突出形成している。
【００６４】
ボルト係合部３３は、筒体であって上部開口縁から内方突出する係合フランジ３３ａを有している。なお、係合フランジ３３ａによりなすボルト係合部３３の上部開口は、ボルト本体３１ａの外径よりも拡径している。
【００６５】
一方、固定ボルト３１のボルト最先端外周には、円環状の先端係合フランジ３１ｂを外嵌固定している。なお、先端係合フランジ３１ｂは、外径をボルト係合部３３の筒孔の内径と略同じとすると共に、厚みをボルト係合部３３の筒長さよりも肉薄としている。
【００６６】
すなわち、押圧プレート３２は、ボルト係合部３３筒内に遊嵌したボルト本体３１ａの先端係合フランジ３１ｂを介して、固定ボルト３１の先端に上下揺動自在に垂下支持している。
【００６７】
このような構成により、フォーク挿入用スリット２０に挿入載置したフォーク先端に対して固定ボルト３１を下方螺進した場合には、ボルト先端の押圧プレート３２がフォーク先端の傾斜面に沿って下底面を面当接するように姿勢変形する。
【００６８】
すなわち、フォーク挿入用スリット２０において、固定ボルト３１先端の押圧プレート３２面と載置面２１との間にフォーク先端の上下面を密着させてフォーク先端をフォーク用台座Ａに確実に挟持固定することができる。
【００６９】
キャスター４０は、図３及び図４に示すように略方形箱型ケース１０の下底面隅部近傍でフォーク挿入用スリット２０の開口部２０ａとの開口向きに対して進行方向を直角方向とするように４つ配設している。
【００７０】
具体的には、キャスター４０は、略方形箱型ケース１０の下底部に固定する軸受４１と軸受４１に回転可能に軸支されたコロ４２とで構成し、コロ４２の回転方向をフォーク挿入用スリット２０の開口部２０ａの開口方向に直交するように略方形箱型ケース１０の下底に配設している。
【００７１】
すなわち、キャスター４０は、フォークリフト本体からのフォークの着脱スライド方向をフォーク用台座Ａの進行方向に固定するように設けることで、安定したフォークの着脱作業を行うことができる。
【００７２】
なお、キャスター４０は、軸受４１に鉛直軸周りに回転可能とする旋回部を具備してフォーク用台座Ａを方向転換自在に構成してもよいが、同旋回部には進行方向をフォークの着脱スライド方向に一定に固定する方向固定手段を介在させることが好ましい。
【００７３】
このように構成したフォーク用台座ＡをフォークリフトＴの着脱作業に供する。以下、フォーク用台座Ａを使用したフォークリフトＴのフォーク２３０の着脱作業について説明する。図６はフォーク用台座をフォークに装着固定した状態を示す正面図、図７及び図８はフォーク用台座を用いたフォークの離脱作業を示す斜視図及び模式的側面図である。
【００７４】
まず、作業者Ｐは、フォーク用台座Ａをフォーク挿入用スリット２０の開口部２０ａをフォーク２３０先端に対向配置し、リフター２１０を昇降操作してフォーク２３０の高さをフォーク挿入用スリット２０の高さに合せる。
【００７５】
次いで、車体本体２００を前進させてフォーク先端をフォーク挿入用スリット２０内へ挿入し、載置面２１にフォーク先端下面が面当接するようにフォーク２３０高さを降下微調整する。
【００７６】
次いで、固定機構３０の固定ボルト３１をフォーク挿入用スリット２０内へ螺入し、図６に示すように固定ボルト３１とフォーク挿入用スリット２０の載置面２１との間にフォーク先端部を挟持固定する。
【００７７】
なお、固定ボルト３１の螺進操作はボルト頭部をレンチで回動することにより行うが、図５に示したように固定ボルト３１のボルト頭部に操作用ハンドル３４を設けた場合には同操作用ハンドル３４を把持して回動螺進操作を行う。
【００７８】
さらには、固定ボルト３１のボルト先端にフォーク挿入用スリット２０に挿入したフォーク先端部の上面に面接触する押圧プレート３２を設けた場合には、ボルトの螺進に伴い押圧プレート３２と載置面２１との間にフォーク先端を挟持して、フォーク用台座Ａにフォーク先端部を固定する。
【００７９】
このようにして、図１で示したようにフォーク挿入用スリット２０内にフォーク先端を固定状態としたフォーク２３０を、図７に示すように上下側レール２２０、２２０’の中央部に向けてスライドさせて切欠部２２１に位置づけることにより下側フック２４０’と下側レール２２０’との係合状態を解除する。
【００８０】
この際、フォーク先端にはフォーク用台座Ａが装着されてフォーク２３０を下方から支持しているため、フォーク基端の重量が分散軽減されて上下側フック２４０と上下側レール２２０、２２０’との掛合状態が弛緩し、スムーズなスライド操作をおこなうことができる。
【００８１】
次いで、作業者Ｐは、図８（ａ）に示すように台木Ｄをフォーク基端の下方に敷設し、フォーク２３０を降下することによりフォークリフトＴの前端からフォーク２３０を離脱する。なお、台木Ｄの高さｈ４は、フォーク挿入用スリット２０の地上面Ｓからの一定高さｈ２よりも低く、且つ少なくともリフター２１０によるフォーク２３０の下方可動域高さとしている。
【００８２】
フォーク２３０の降下に伴い、図８（ｂ）に示すようにフォーク２３０がフォーク用台座Ａと台木Ｄに支持された傾斜姿勢となる。すなわち、Ｌ字状基端部２３１が降下すると台木Ｄに支持されたフォーク基端が支点となりフォーク先端がやや上方変位してフォーク２３０が傾斜姿勢となる。
【００８３】
この際、フォーク２３０の下側フック２４０’は、切欠部２２１を介して下側レール２２０’下方で下側レール２２０’位置よりも前方に変位して外れる。
【００８４】
さらにリフター２１０を降下させると、図８（ｃ）に示すように下側レール２２０’が下側フック２４０’に干渉することなく上側レール２２０と上側フック２４０との係合を解除でき、最終的にフォークリフトＴを後退してフォークリフトＴ前端からのフォーク２３０の完全離脱を実現する。なお、フォーク２３０の装着に際しては、上述したフォーク２３０の離脱手順を逆に行うことによりできるのは勿論である。
【００８５】
このように、本発明に係るフォーク用台座Ａによれば、フォーク２３０を一定高さに保持してフォーク基端側の重量負荷を分散軽減し、レールとフックの掛合状態を弛めてリフター２１０に対してフォーク２３０のスライドを円滑に行うことができ、離脱したフォーク２２０をフォーク用台座Ａに支持することができる。
【００８６】
従って、フォーク２３０が不用意に落下することないため、作業時における落下事故の発生を確実に防止し、しかも作業者Ｐが単独で安全且つスムーズにフォーク２３０の着脱作業を行うことができる効果がある。
【００８７】
〔３．実施例２〕
次に、本発明の実施例２にかかるフォーク用台座の構成について図面を参照しながら説明する。図９は本実施例にかかるフォーク用台座Ａ２の構成を示す斜視図である。なお、以下において、実施例１にかかるフォーク用台座Ａと同様の構成については、同じ符号を付して説明を省略する。
【００８８】
本実施例にかかるフォーク用台座Ａ２は、図９に示すように実施例１にかかるフォーク用台座Ａを備えているが、フォーク用台座Ａの後端に台木Ｄの役割を果たすべくフォーク基端を載置支持するための後部台座Ｂと連結している点で構成を異にする。
【００８９】
すなわち、フォーク用台座Ａ２は、フォーク用台座Ａの後端に連結機構７０を介して後部台座Ｂを着脱自在に連結し、後部台座Ｂは少なくともフォーク基部を載置する支持台座８０と、支持台座８０の下底に設けたキャスター９０とより構成している。なお後部台座Ｂは、フォーク用台座Ａと同様の構成を備えていてもよいことは勿論である。
【００９０】
支持台座８０は、フォーク用台座Ａのスペーサ形成部５０又は台木Ｄに相当し、断面方形筒体８１に形成してその上面をフォーク基端部の載置面８２とし、同載置面８２を地上面Ｓからの一定高さに形成する。
【００９１】
なお、支持台座８０における地上面Ｓから載置面８２までの高さは、実施例１で説明したフォーク挿入用スリット２０の地上面Ｓからの一定高さｈ２と略同じ又は台木Ｄの高さｈ４と略同じ高さにしている。
【００９２】
また、支持台座８０の載置面８２（上面）にはフォーク基部の横滑り防止のための規制部８３として、支持台座８０上面の左右端縁に左右壁部８３ａ、８３ａ’を立設している。
【００９３】
具体的には、断面方形筒体８１とした支持台座８０の上面に上方開放の断面コ字状板８４の下底面を一体溶着することにより、同断面コ字状板８４の左右壁部８３ａ、８３ａ’を規制部８３とすると共に左右壁部８３ａ、８３ａ’間の下面を載置面８２として構成している。
【００９４】
さらに、フォーク用台座Ａと同様に、断面方形筒体８１とした支持台座８０における筒体開口部８０ａと断面コ字状板８４の左右壁部８３ａ、８３ａ’の間の各開口向きは互いに直角方向に向くように構成している。
【００９５】
連結機構７０は、図９に示すようにフォーク用台座Ａのフォーク挿入用スリット２０の開口方向と後部台座Ｂの左右壁部８３ａ、８３ａ’の延設方向を同一方向とするようにフォーク用台座Ａと後部台座Ｂとの間に長尺のリンクロッド７１を介設して構成している。
【００９６】
具体的には、連結機構７０は、スペーサ形成部５０の後側で突設した前部連結部と、支持台座８０の前側で突設した後部連結部８４と、前部連結部と後部連結部８４とにそれぞれ差し込み式のロックピン７２を介して連結するリンクロッド７１とにより構成している。
【００９７】
なお、連結機構７０としては、フォーク用台座Ａと後部台座Ｂとのリンクが可能であれば本実施例のようなロックピン式の他に、例えばフック式、ネジ式、はめ込み式であってもよい。また、連結機構７０（リンクロッド７１）の長さは、フォーク先端部下方にフォーク用台座Ａを配置可能にすると共にフォーク基部下方に後部台座Ｂを配置可能にする長さにしている。
【００９８】
このように構成したフォーク用台座Ａ２によれば、台木Ｄを用意することがないためフォーク着脱作業を簡略化して作業負担をさらに軽減することができ、しかも離脱後のフォーク２３０を前後の台座Ａ、Ｂごと移動してそのまま収納することができる。
【００９９】
以上、説明してきたように、本発明に係るフォーク用台座は、フォーク先端をフォーク挿入用スリットに差し込み固定機構によりフォーク先端部を台座に固定するだけでフォーク着脱作業の準備が完了でき、フォークを一定高さに保持してフォーク基端側の重量負荷を分散軽減してレールとフックの掛合状態を弛め、フォークのレール上における左右スライドを円滑に行うことができる効果がある。
【０１００】
さらに、リフターから離脱した後のフォークがフォーク用台座に支持固定されているために不用意に落下することない。
【０１０１】
すなわち、本発明に係るフォーク用台座によれば、フォーク先端と地上面との間に介在させて、作業負担を減らしてフォーク着脱作業を容易に行うことができ、フォークの不用意な落下事故を確実に防止すると共に作業者が独りでフォークの着脱作業を行うことができる。
【０１０２】
最後に、上述した各実施の形態の説明は本発明の一例であり、本発明は上述の実施の形態に限定されることはなく、上述した各実施の形態以外であっても、本発明に係る技術的思想を逸脱しない範囲であれば、設計等に応じて種々の変更が可能であることは勿論である。
【０１０３】
また、上述した実施例１〜２における各構成は、その機能を阻害しない範囲内において、それぞれ別の実施形態に適用することができ、これらの構成もまた本発明の概念に含まれる。
【符号の説明】
【０１０４】
Ａ  フォーク用台座
１０  略方形箱型ケース
２０  フォーク挿入用スリット
３０  固定機構
４０  キャスター
５０  スペーサ形成部
【図１】
2020029359.tif 000003
【図２】
2020029359.tif 000004
【図３】
2020029359.tif 000005
【図４】
2020029359.tif 000006
【図５】
2020029359.tif 000007
【図６】
2020029359.tif 000008
【図７】
2020029359.tif 000009
【図８】
2020029359.tif 000010
【図９】
2020029359.tif 000011